(57)【要約】      （修正有）【課題】シンプルな構造で生産効率を高くした役物の生素地を製造するための型を提供する。【解決手段】上型は交差形状の水平作業面を備え、一方、下型は、上型の作業面と係合するように構成された交差形状の水平作業面を備える。交差の形状は、十字型又はＴ字型でもよい。例えば、上型の水平作業面は、十字型又はＴ字型の雄型又は雌型として製造され、一方、下型の水平作業面は、対応させるために十字型又はＴ字型の雌型又は雄型として製造される。上型の水平作業面は平面でもよく、細長い凸部が設けられていてもよい。下型の水平作業面にも、細長い凸部が設けられていてもよい。本考案の型によって製造された生素地を分割する工程の後、役物の接合を得ることができ、その際に接合を必要とせず、生産効率は高まり、生産費は減り、また、製品の品質が安定する。【選択図】図１
0003144866.tif 000002
【実用新案登録請求の範囲】
【請求項１】
上型（１）と下型（２）とを有する、役物の生素地を製造するための型であり、前記上型（１）は交差形状の水平作業面（３）を備え、前記下型（２）は、前記上型（１）の前記水平作業面（３）と係合するように構成された交差形状の水平作業面（４）を備えることを特徴とする型。
【請求項２】
前記上型（１）の前記水平作業面（３）が十字型で、一方、前記下型（２）の前記水平作業面（４）も十字型であることを特徴とする請求項１に記載の型。
【請求項３】
前記上型（１）の前記水平作業面（３）がＴ字型で、一方、前記下型（２）の前記水平作業面（４）もＴ字型であることを特徴とする請求項１に記載の型。
【請求項４】
前記上型（１）の前記水平作業面（３）が平面で、一方、前記下型（２）の前記水平作業面（４）も平面であることを特徴とする請求項１に記載の型。
【請求項５】
前記上型（１）の前記水平作業面（３）に細長い凸部が設けられていることを特徴とする請求項１に記載の型。
【請求項６】
前記下型（２）の前記水平作業面（４）に細長い凸部が設けられていることを特徴とする請求項１に記載の型。
【考案の詳細な説明】
【技術分野】
【０００１】
本考案は、生素地を製造するための型に関し、特に、役物の生素地を製造するための型に関する。
【背景技術】
【０００２】
既知の役物の製造方法では、平面を有する、元となる生素地を、自然と剥げ落ちたような外観を備えた二つの生素地に分割して、次にそれを焼成する。焼成したタイルは、個々が４５度のあわせ面を備えた二つの断片に切断し、二つの断片を接着剤で接合し、９０度の角度を形成する。こうして、自然と剥げ落ちたような外観を備えた役物が得られる。しかし、この方法では、生産費が高くなり、生産効率が低く、また、接合部の外観が不自然となってしまうといった問題があった。
【考案の開示】
【考案が解決しようとする課題】
【０００３】
それゆえに、本考案の目的は、シンプルな構造で、高生産効率を提供する、役物の生素地を製造するための型を提供することにある。
【課題を解決するための手段】
【０００４】
上記の目的を達成するために、役物の生素地を製造するための型は、上型と下型を有する。上型は交差形状の水平作業面を備え、一方、下型は、上型の作業面と係合するように構成された交差形状の水平作業面を備える。交差の形状は、十字型又はＴ字型でもよい。例えば、上型の水平作業面は、十字型又はＴ字型の雄型又は雌型として製造され、一方、下型の水平作業面は、対応させるために十字型又はＴ字型の雌型又は雄型として製造される。
【０００５】
上型の水平作業面は、平面でもよい。
下型の水平作業面は、平面でもよい。
上型の水平作業面には、細長い凸部が設けられていてもよい。
下型の水平作業面には、細長い凸部が設けられていてもよい。
【０００６】
生素地の原料を上型と下型に供給し、次に、上型と下型を係合させることでプレスして十字型又はＴ字型の生素地にする。
【考案の効果】
【０００７】
本考案は、以下の利点を提供する。本考案の型によって製造された生素地を分割する工程の後、役物を得ることができ、その際に接合を必要とせず、生産効率は高まり、生産費は減り、また、製品の品質が安定する。
【考案を実施するための最良の形態】
【０００８】
本考案の前記ならびにその他の目的、特徴、利点は、以下の本考案を実施するための最良の形態を添付図面と照らし合わせて説明するとより明らかになるであろう。
【実施例１】
【０００９】
図１、２、３、４を参照すると、役物の生素地を製造するための型が示されている。型は、上型１と下型２を有する。
【００１０】
型は、十字型で溝のない、役物の生素地を製造するために使用される。上型１は十字型の雄型であり、一方、下型２は上型１と係合するように構成された十字型の雌型である。上型の水平作業面３は、平面として製造され、一方、下型の水平作業面４も、平面として製造される。本実施例で得られた、役物の生素地を図５に示す。
【実施例２】
【００１１】
図６、７、８、９を参照すると、役物の生素地を製造するための別の型が示されている。型は、上型１と下型２を有する。
【００１２】
型は、十字型で表面と裏面に溝を備えた、役物の生素地を製造するために使用される。上型１は十字型の雄型であり、一方、下型２は上型１と係合するように構成された十字型の雌型である。上型の水平作業面３は、Ｖ字型の細長い凸部を備えた面として製造され、一方、下型の水平作業面４も、Ｖ字型の細長い凸部を備えた面として製造される。本実施例で得られた、役物の生素地を図１０に示す。
【実施例３】
【００１３】
図１１、１２、１３、１４を参照すると、役物の生素地を製造するためのさらに別の型が示されている。型は、上型１と下型２を有する。
【００１４】
型は、Ｔ字型で表面と裏面に溝を備えた、役物の生素地を製造するために使用される。上型１はＴ字型の雄型であり、一方、下型２は上型１と係合するように構成されたＴ字型の雌型である。上型の水平作業面３は、Ｖ字型の細長い凸部を備えた面として製造され、一方、下型の水平作業面４も、平面として製造される。本実施例で得られた、役物の生素地を図１５に示す。
【００１５】
以上、実施するための最良の形態と照らし合わせて本考案を説明したが、本考案の範囲から逸脱することなしに、本考案のその他の変形および変更の多くが当業者に明らかになるであろう。
【図面の簡単な説明】
【００１６】
【図１】本考案の第一実施形態の上型を示す正面図である。
【図２】本考案の第一実施形態の下型を示す正面図である。
【図３】本考案の第一実施形態の下型を示す底面図である。
【図４】本考案の第一実施形態の下型を示す、図２のＡ−Ａ線断面図である。
【図５】本考案の第一実施形態の型から得られた製品を示す斜視図である。
【図６】本考案の第二実施形態の上型を示す正面図である。
【図７】本考案の第二実施形態の下型を示す正面図である。
【図８】本考案の第二実施形態の上型を示す底面図である。
【図９】本考案の第二実施形態の下型を示す、図７のＢ−Ｂ線断面図である。
【図１０】本考案の第二実施形態の型から得られた製品を示す斜視図である。
【図１１】本考案の第三実施形態の上型を示す正面図である。
【図１２】本考案の第三実施形態の下型を示す正面図である。
【図１３】本考案の第三実施形態の上型を示す底面図である。
【図１４】本考案の第三実施形態の下型を示す、図１２のＣ−Ｃ線断面図である。
【図１５】本考案の第三実施形態の型から得られた製品を示す斜視図である。
【符号の説明】
【００１７】
１  上型
２  下型
３  上型の水平作業面
４  下型の水平作業面
【図１】
0003144866.tif 000003
【図２】
0003144866.tif 000004
【図３】
0003144866.tif 000005
【図４】
0003144866.tif 000006
【図５】
0003144866.tif 000007
【図６】
0003144866.tif 000008
【図７】
0003144866.tif 000009
【図８】
0003144866.tif 000010
【図９】
0003144866.tif 000011
【図１０】
0003144866.tif 000012
【図１１】
0003144866.tif 000013
【図１２】
0003144866.tif 000014
【図１３】
0003144866.tif 000015
【図１４】
0003144866.tif 000016
【図１５】
0003144866.tif 000017